(57)【要約】【課題】被験者の体温リズムが理想的な体温リズムになるように、当該被験者の尿の温度に基づいて室内環境を自動的に調節することができる室内環境調節システムを提供する。【解決手段】被験者が排泄する尿の温度を検出する尿温センサ１０と、前記被験者が生活する室内環境を調節する室内環境調節手段と、前記尿温センサ１０により検出された尿の温度に基づいて前記被験者の一日の体温リズムを推定し、当該推定された体温リズムが理想的な体温リズムになるように前記室内環境調節手段によって室内環境を調節する制御装置５０と、を具備した。【選択図】図１
2014152954.tif 000002
【特許請求の範囲】
【請求項１】
被験者が排泄する尿の温度を検出する尿温検出手段と、
前記被験者が生活する室内環境を調節する室内環境調節手段と、
前記尿温検出手段により検出された尿の温度に基づいて前記被験者の一日の体温リズムを推定し、当該推定された体温リズムが理想的な体温リズムになるように前記室内環境調節手段によって室内環境を調節する制御手段と、
を具備することを特徴とする、
室内環境調節システム。
【請求項２】
前記室内環境調節手段は照明器具であることを特徴とする、
請求項１に記載の室内環境調節システム。
【請求項３】
前記室内環境調節手段は空調機器であることを特徴とする、
請求項１又は請求項２に記載の室内環境調節システム。
【請求項４】
前記制御手段による制御に関する情報を表示する表示手段をさらに具備することを特徴とする、
請求項１から請求項３までのいずれか一項に記載の室内環境調節システム。
【発明の詳細な説明】
【技術分野】
【０００１】
本発明は、被験者が排泄する尿の温度に基づいて室内環境を調節する室内環境調節システムの技術に関する。
【背景技術】
【０００２】
従来、被験者が排泄する尿の温度を検出する技術は公知となっている。例えば、特許文献１及び特許文献２に記載の如くである。
【０００３】
特許文献１に記載の技術では、被験者が排泄した尿の温度を検出し、当該温度と所定の判定基準とを比較して、当該被験者の今後の体調変化を予測することができる。
【０００４】
特許文献２に記載の技術では、被験者が排泄した尿の温度及び当該尿の温度に影響を与える要因（尿温影響要因）の状態値を検出し、当該尿の温度が所定の基準範囲外となった場合、尿温影響要因に関する情報を報知することで、尿の温度の変動の要因を把握することができる。
【０００５】
しかしながら、上記特許文献に記載の技術では、被験者は尿の温度に基づいて自らの体調に関する情報を知ることができるものの、体調を理想的（健康的）な状態に整えるためには被験者自らが意識して照明や室温などの室内環境（生活環境）を調節する必要がある点で不利であった。
【先行技術文献】
【特許文献】
【０００６】
【特許文献１】特開２００８−７３３１４号公報
【特許文献２】特開２００９−８２３８９号公報
【発明の概要】
【発明が解決しようとする課題】
【０００７】
本発明は以上の如き状況に鑑みてなされたものであり、その解決しようとする課題は、被験者の体調の中でも特に体温リズムに着目し、当該体温リズムが理想的な状態（理想的な体温リズム）になるように、当該被験者の尿の温度に基づいて室内環境を自動的に調節することができる室内環境調節システムを提供することである。
【課題を解決するための手段】
【０００８】
本発明の解決しようとする課題は以上の如くであり、次にこの課題を解決するための手段を説明する。
【０００９】
即ち、請求項１においては、被験者が排泄する尿の温度を検出する尿温検出手段と、前記被験者が生活する室内環境を調節する室内環境調節手段と、前記尿温検出手段により検出された尿の温度に基づいて前記被験者の一日の体温リズムを推定し、当該推定された体温リズムが理想的な体温リズムになるように前記室内環境調節手段によって室内環境を調節する制御手段と、を具備するものである。
【００１０】
請求項２においては、前記室内環境調節手段は照明器具であるものである。
【００１１】
請求項３においては、前記室内環境調節手段は空調機器であるものである。
【００１２】
請求項４においては、前記制御手段による制御に関する情報を表示する表示手段をさらに具備するものである。
【発明の効果】
【００１３】
本発明は、被験者の体温リズムが理想的な体温リズムになるように、当該被験者の尿の温度に基づいて室内環境を自動的に調節することができる、という効果を奏する。
【図面の簡単な説明】
【００１４】
【図１】本発明の実施の一形態に係る室内環境調節システムを示した模式図。
【図２】制御装置による制御のフローを示した図。
【図３】理想的な体温リズムと被験者の体温リズムを示した図。
【図４】被験者の体温リズムの他の例を示した図。
【発明を実施するための形態】
【００１５】
以下では、図１を用いて、本発明の実施の一形態に係る室内環境調節システム１の構成について説明する。
【００１６】
室内環境調節システム１は、住宅を含む建築物に設けられ、ある被験者の尿の温度に基づいて室内環境を自動的に調節するものである。
【００１７】
ここで「被験者」とは、室内環境調節システム１が設けられた建築物内で、ある程度の時間を過ごす（生活する）人であり、当該室内環境調節システム１による体温リズムの調節の対象となる人である。
【００１８】
また、「室内環境」とは、前記建築物内（室内）のあらゆる環境（例えば、照明、温度、湿度、音等）を含むものであるが、本実施形態においては、特に照明及び温度に着目して説明を行う。
【００１９】
室内環境調節システム１は、主として尿温センサ１０、照明器具２０、空調機器３０、タブレット端末４０及び制御装置５０を具備する。
【００２０】
尿温センサ１０は、本発明に係る尿温検出手段の一実施形態であり、被験者が排泄する尿の温度（尿温）を検出するものである。尿温センサ１０は、前記建築物に設置された便器１１に設けられる。尿温センサ１０は、被験者が尿を排泄する際に、当該尿の温度を検出する。
【００２１】
照明器具２０は、本発明に係る室内環境調節手段の一実施形態であり、被験者が生活する前記建築物の室内の照明（照明環境）を調節するものである。照明器具２０は、その明るさを段階的に（又は、無段階的に）調節することができる。
【００２２】
空調機器３０は、本発明に係る室内環境調節手段の一実施形態であり、被験者が生活する前記建築物の室内の温度を調節するものである。
【００２３】
タブレット端末４０は、本発明に係る表示手段の一実施形態であり、表示装置（ディスプレイ）及び入力装置（タッチパネル）を具備し、所定の情報を表示して被験者に報知したり、当該被験者が操作することによって情報を入力したりするものである。
【００２４】
制御装置５０は、本発明に係る制御手段の一実施形態であり、被験者の尿温に基づいて、照明器具２０及び空調機器３０の動作を制御するものである。制御装置５０は、パソコン等のコンピュータであり、ＲＡＭやＲＯＭ、並びにＣＰＵ等により構成される。制御装置５０には、照明器具２０及び空調機器３０等を制御するための制御プログラム等の必要な情報が記憶される。
【００２５】
制御装置５０は尿温センサ１０に接続され、当該尿温センサ１０が検出した被験者の尿温に関する情報を取得することができる。
制御装置５０は照明器具２０に接続され、当該照明器具２０の動作（具体的には、当該照明器具２０の明るさ）を制御することができる。
制御装置５０は空調機器３０に接続され、当該空調機器３０の動作（具体的には、当該空調機器３０の温度設定）を制御することができる。
制御装置５０はタブレット端末４０に接続され、当該タブレット端末４０により入力された情報を取得すると共に、所定の情報を当該タブレット端末４０に表示させることができる。
【００２６】
次に、図２及び図３を用いて、上述の如く構成された室内環境調節システム１による室内環境の調節の様子（制御態様）について説明する。
【００２７】
図２のステップＳ１０１において、制御装置５０は、被験者の尿温を検出する。具体的には、ある一日において、被験者が尿を排泄する度に、制御装置５０は尿温センサ１０によって当該尿温を検出する。
【００２８】
ここで、尿温は被験者の体の深部の体温と同じに保たれているため、当該尿温を検出することによって、被験者の体温を比較的正確に検出することができる。
【００２９】
そして、制御装置５０は、当該尿温（すなわち、被験者の体温）及び当該体温を検出した時間を記憶する。ある一日における被験者の体温と当該体温を検出した時間を、図３上に点Ｐ１から点Ｐ６までで示している。
【００３０】
制御装置５０は、ステップＳ１０１の処理を行った後、ステップＳ１０２に移行する。
【００３１】
図２のステップＳ１０２において、制御装置５０は、ステップＳ１０１において検出した被験者の体温に基づいて、当該被験者の一日の体温リズムを推定する。
【００３２】
ここで、「体温リズム」とは、体温の周期的な変化を意味する。通常、体温は約２４時間（一日）周期で変動する。
【００３３】
制御装置５０は、図３に示す点Ｐ１から点Ｐ６までを近似することによって、被験者の体温リズムを推定する。当該推定された体温リズムを、図３上に曲線Ｃ１で示している。なお、通常、体温リズムは２つの頂点（最小値及び最大値）を持つ曲線状になる。
【００３４】
制御装置５０は、ステップＳ１０２の処理を行った後、ステップＳ１０３に移行する。
【００３５】
図２のステップＳ１０３において、制御装置５０は、ステップＳ１０２において推定された被験者の体温リズムと、理想的な体温リズムとを比較し、どのように異なっているかを判定する。
【００３６】
ここで、「理想的な体温リズム」とは、一般的に健康的だと考えられている体温リズムを意味する。当該理想的な体温リズムは、予め制御装置５０に記憶されている。当該理想的な体温リズムを、図３上に曲線Ｃｔで示している。
【００３７】
制御装置５０は、ステップＳ１０２において推定された被験者の体温リズム（曲線Ｃ１）と理想的な体温リズム（曲線Ｃｔ）の頂点の位置や各時間における体温の大小を比較し、その相違点を判定する。
【００３８】
本実施形態においては、曲線Ｃ１の最小値及び最大値は曲線Ｃｔの最小値及び最大値とそれぞれ略同一であるため、その振幅（最小値と最大値の差）も略同一である。しかし、曲線Ｃ１の周期（例えば、最小及び最大となる時間）は、曲線Ｃｔの周期に対して約３時間ほど後にずれている。制御装置５０は、当該相違点（周期のずれ）を記憶する。
【００３９】
制御装置５０は、ステップＳ１０３の処理を行った後、ステップＳ１０４に移行する。
【００４０】
図２のステップＳ１０４において、制御装置５０は、ステップＳ１０３における比較結果（曲線Ｃ１と曲線Ｃｔとの相違点）に基づいて、照明器具２０及び空調機器３０の制御方法を決定する。
【００４１】
すなわち、制御装置５０は、上述の如く曲線Ｃ１と曲線Ｃｔとの間に相違点（本実施形態の例では、周期のずれ）がある場合、曲線Ｃ１（被験者の体温リズム）が曲線Ｃｔ（理想的な体温リズム）になる（近づく）ような照明器具２０及び空調機器３０の制御方法を決定する。
【００４２】
具体的には、本実施形態においては曲線Ｃ１の周期が、曲線Ｃｔの周期に対して約３時間ほど後にずれているため、当該曲線Ｃ１の周期を前にずらす（修正する）必要がある。このために、制御装置５０は、夜間（例えば、１８時から２４時まで）の照明器具２０の明るさ（照度）を下げると共に、早朝（例えば６時から９時まで）の照明器具２０の明るさ（照度）を上げる、という制御方法を決定する。このような制御方法によって、被験者の夜間の体温の低下の開始（すなわち、体温が最大となる時間）を早めると共に、被験者の朝の体温の上昇の開始（すなわち、体温が最小となる時間）を早める効果が期待される。
【００４３】
制御装置５０は、ステップＳ１０４の処理を行った後、ステップＳ１０５に移行する。
【００４４】
図２のステップＳ１０５において、制御装置５０は、ステップＳ１０４において決定した制御方法に従って、照明器具２０及び空調機器３０の制御を行い、室内環境（室内の照明及び温度）を調節する。
【００４５】
すなわち、制御装置５０は、ステップＳ１０４において決定した如く、照明器具２０を制御して、夜間の照明器具２０の明るさ（照度）を下げると共に、早朝の照明器具２０の明るさ（照度）を上げる制御を行い、被験者が生活する室内環境を調節する。
【００４６】
制御装置５０は、ステップＳ１０５の処理を行った後（例えば、ステップＳ１０５の制御を数日間行った後）、再びステップＳ１０１に移行する。すなわち、本制御（ステップＳ１０１からステップＳ１０５まで）を繰り返し行うことによって、被験者の体温リズムを徐々に理想的な体温リズムに近づけることができる。また、本制御を繰り返す度に被験者の尿温を検出し（ステップＳ１０１）、その時の被験者の体温リズムに応じた制御方法を決定することができる（ステップＳ１０４）。すなわち、常に被験者の体温リズムの変化に応じた最適な制御方法によって、室内環境を調節することができる。
【００４７】
また、制御装置５０は、本制御（ステップＳ１０１からステップＳ１０５まで）を行う際、当該制御に関する情報を自動的に（又は、被験者によるタブレット端末４０の操作に応じて）タブレット端末４０に表示させる。具体的には、制御装置５０は、検出された被験者の尿温（ステップＳ１０１）、推定された被験者の体温リズム（ステップＳ１０２）及び理想的な体温リズム、決定された制御方法（ステップＳ１０４）、並びに現在行われている制御の内容（照明器具２０及び空調機器３０の動作状態）等をタブレット端末４０に表示させる。被験者はタブレット端末４０の表示内容を確認することで、自らの体調（尿温や体温リズム）や制御装置５０による制御の内容等を知ることができる。
【００４８】
以上の如く、本実施形態に係る室内環境調節システム１は、
被験者が排泄する尿の温度を検出する尿温センサ１０（尿温検出手段）と、
前記被験者が生活する室内環境を調節する室内環境調節手段と、
前記尿温センサ１０により検出された尿の温度に基づいて前記被験者の一日の体温リズムを推定し、当該推定された体温リズムが理想的な体温リズムになるように前記室内環境調節手段によって室内環境を調節する制御装置５０（制御手段）と、
を具備するものである。
【００４９】
このように構成することにより、被験者の体温リズムが理想的な体温リズムになるように、当該被験者の尿の温度に基づいて室内環境を自動的に調節することができる。すなわち、被験者は体温リズムの調節のために自ら室内環境を調節する必要がなくなる。
また、被験者の体温リズムを理想的な体温リズムにすることによって、当該被験者の睡眠の質の向上、免疫力の向上、基礎代謝の向上、冷え性の改善等が期待される。
【００５０】
また、本実施形態に係る室内環境調節システム１の前記室内環境調節手段は照明器具２０である。
【００５１】
このように構成することにより、体温リズムに与える影響が大きいと考えられる室内の照明を調節することができる。
【００５２】
また、本実施形態に係る室内環境調節システム１の前記室内環境調節手段は空調機器３０である。
【００５３】
このように構成することにより、体温リズムに与える影響が大きいと考えられる室内の温度を調節することができる。
【００５４】
また、室内環境調節システム１は、
制御装置５０による制御に関する情報を表示するタブレット端末４０（表示手段）をさらに具備するものである。
【００５５】
このように構成することにより、被験者は当該タブレット端末４０によって制御に関する情報を確認することができる。
【００５６】
なお、本実施形態においては、本発明に係る室内環境調節手段の一実施形態として照明器具２０及び空調機器３０を例示したが、本発明はこれに限るものではない。すなわち、室内環境調節手段は、被験者の体温リズムに影響を与える種々の室内環境を調節することが可能なものであれば良い。例えば、室内環境調節手段は、窓の開閉を自動的に行うことによって室内の温度や湿度の調節を行う装置、カーテンの開閉を自動的に行うことによって室内の明るさの調節を行う装置、室内に流れる音楽の音量を調節する装置等であっても良い。
【００５７】
また、本実施形態においては、本発明に係る表示手段の一実施形態としてタブレット端末４０を例示したが、本発明はこれに限るものではない。すなわち表示手段は、所定の情報を表示することができるものであれば、テレビや室内に備え付けられた専用のディスプレイ、パソコンのディスプレイ、スマートフォン等であっても良い。
【００５８】
また、本実施形態においては、ある一日における被験者の尿温（体温）から当該被験者の一日の体温リズムを推定するものとしたが、本発明はこれに限るものではない。すなわち、体温リズムは日によって急激に変化するものではないため、ある一日だけではなく、例えば数日に亘って被験者の尿温（体温）を測定し、当該尿温から被験者の体温リズムを推定することも可能である。
【００５９】
また、本実施形態においては、ステップＳ１０５の処理を行った後（例えば、ステップＳ１０５の制御を数日間行った後）で再びステップＳ１０１に移行するものとしたが、本発明はこれに限るものではない。例えば、ステップＳ１０５の制御を行いながら、ステップＳ１０１からステップＳ１０４までの処理を再度行う構成とすることも可能である。これによって、室内環境の調節（ステップＳ１０５）を行いながら、被験者の体温リズムに関する情報を更新することができる。
【００６０】
また、本実施形態においては、１つの理想的な体温リズムが制御装置５０に予め記憶されているものとしたが、本発明はこれに限るものではない。すなわち、年齢や性別等の個人情報ごとに設定された複数種類の理想的な体温リズムを制御装置５０に予め記憶させることも可能である。そして、被験者の年齢や性別等に応じて、複数の理想的な体温リズムの中から最適なものを１つ選択して制御に用いる構成とすることが可能である。
【００６１】
また、本実施形態においては、理想的な体温リズムは予め制御装置５０に記憶されているものとしたが、本発明はこれに限るものではない。すなわち、通常時（健康で体温リズムに狂いが無い時期）における被験者の尿温を検出し、当該尿温に基づいて当該被験者だけの理想的な体温リズムを作成し、当該理想的な体温リズムを制御に用いる構成とすることも可能である。また、予め記憶された理想的な体温リズムを、検出された被験者の尿温に基づいて修正して、当該被験者に応じた体温リズムを作成する構成とすることも可能である。
【００６２】
また、本実施形態においては、ある一人の被験者の体温リズムに着目して室内環境を調節するものとしたが、本発明はこれに限るものではない。すなわち、一の住宅等で生活する複数の被験者それぞれの体温リズムを検出し、各被験者の体温リズムが理想的な体温リズムに近づくように室内環境を調節する構成とすることも可能である。この場合、尿温センサ１０で尿温を測定する際には、どの被験者の尿温であるかをタブレット端末４０等の入力装置を用いて制御装置５０に入力し、各被験者の尿温のデータを区別する。また、各被験者によって調節すべき室内環境は異なるため、被験者が複数いる場合は、リビング等の複数の被験者が同時に集まる部屋ではなく、各被験者個人の部屋の室内環境を調節することが望ましい。
【００６３】
また、本実施形態においては、図３に示すように、被験者の体温リズム（曲線Ｃ１）が理想的な体温リズム（曲線Ｃｔ）の周期に対して後にずれている場合を例示したが、その他にも、図４に示すような場合が想定される。
【００６４】
図４の曲線Ｃ２は、被験者の体温リズム（曲線Ｃ２）が理想的な体温リズム（曲線Ｃｔ）の周期に対して前にずれている場合である。このような場合、制御装置５０は、夜間（例えば、１８時から２４時まで）の照明器具２０の明るさ（照度）を上げると共に、同じく夜間の空調機器３０の設定温度を上げる制御を行う。当該制御によって、被験者の夜間の体温の低下の開始(すなわち、体温が最大となる時間）を遅くする効果が期待され、ひいては被験者の体温リズム（曲線Ｃ２）を理想的な体温リズム（曲線Ｃｔ）に近づけることができる。
【００６５】
また、図４の曲線Ｃ３は、被験者の体温リズム（曲線Ｃ３）の周期は理想的な体温リズム（曲線Ｃｔ）と略同一であるものの、曲線Ｃ３の最大値が曲線Ｃｔの最大値よりも小さく、また曲線Ｃ３の最小値が曲線Ｃｔの最小値よりも大きい場合である。すなわち、当該被験者の体温リズム（曲線Ｃ３）は、朝方に体温が下がりきれておらず、また夕方に体温が上がりきれていない。このような場合、制御装置５０は、朝方（例えば、５時から７時まで）の空調機器３０の設定温度を下げると共に、夕方（例えば、１７時から１９時まで）の空調機器３０の設定温度を上げる制御を行う。当該制御によって、被験者の朝方の体温を低下させると共に夕方の体温を上昇させる効果が期待され、ひいては被験者の体温リズム（曲線Ｃ３）を理想的な体温リズム（曲線Ｃｔ）に近づけることができる。
【００６６】
なお、上述の被験者の体温リズムを理想的な体温リズムにする（近づける）ための照明器具２０及び空調機器３０の制御方法は一例であり、本発明は当該制御方法に限るものではなく、当該被験者の体温リズムを理想的な体温リズムにする（近づける）ことが可能であれば、その制御方法を限定するものではない。
【符号の説明】
【００６７】
１    室内環境調節システム
１０  尿温センサ（尿温検出手段）
１１  便器
２０  照明器具（室内環境調節手段）
３０  空調機器（室内環境調節手段）
４０  タブレット端末（表示手段）
５０  制御装置（制御手段）
【図１】
2014152954.tif 000003
【図２】
2014152954.tif 000004
【図３】
2014152954.tif 000005
【図４】
2014152954.tif 000006